(57)【要約】【課題】  新しい画像データだけを印刷する場合、印刷対象とする画像データの日付を確認したい場合、あるいは日付ごとに画像データを印刷したい場合に便利なプリンタ装置を提供する。【解決手段】  画像データに従って画像を印刷する印刷部１０６、印刷部１０６に記録紙を搬送する搬送部１０５、記憶媒体１０２に記憶される画像データを取得する画像情報取得部１０１、搬送された記録紙に画像データに従って画像を印刷するための印刷条件についての選択肢を表示する表示部１０３、選択肢の１つを印刷設定として確定する入力部１０４、印刷設定に基づいて印刷部１０６を制御する制御部を有し、表示部１０３はプリンタ装置に対する電源投入、記憶媒体の装着、または印刷モードの切替を検知した場合、記憶されている画像データの中で最新の日付情報を持つ画像データの日付情報を表示するように初期設定されている。【選択図】  図１
2005169953.tif 000002
【特許請求の範囲】
【請求項１】
画像データに基づいて記録紙に画像を印刷する印刷手段と、前記印刷手段における印刷条件についての選択肢を表示する表示手段と、前記選択肢の１つを印刷設定として確定する入力手段と、該入力手段において確定された印刷設定に基づいて前記印刷手段を制御する印刷制御手段とを有するプリンタ装置において、
画像データを記憶可能な記憶媒体を装着可能な装着部と、
前記装着部に装着された記憶媒体に記憶される画像データを取得する取得手段と、
を備え、
前記表示手段は、前記プリンタ装置に対する電源投入、前記記憶媒体の装着部に対する装着、または印刷モードの切替を検知した場合、前記記憶媒体に記憶される画像データの中で、最新の日付情報を持つ画像データの日付情報を表示することを特徴とするプリンタ装置。
【請求項２】
前記表示手段は、前記記憶媒体に記憶される画像データの中で、前記表示手段が表示する日付情報に該当する画像データの数を表示することを特徴とする請求項１記載のプリンタ装置。
【請求項３】
前記印刷制御手段は、前記記憶媒体に記憶される画像データの中で、前記表示手段が表示する日付情報に該当する画像データを順次１枚ずつ印刷するように前記印刷手段を制御することを特徴とする請求項１記載のプリンタ装置。
【請求項４】
前記印刷制御手段は、前記記憶媒体に記憶される画像データの中で、前記表示手段が表示する日付情報に該当する画像データのインデックス印刷を行うように前記印刷手段を制御することを特徴とする請求項１記載のプリンタ装置。
【請求項５】
前記日付情報は、日付を示す情報及び同一の日付に作成された複数の画像データをそれぞれ区別可能な付加的情報を含み、前記表示手段は、前記日付情報を日付順に順次表示することを特徴とする請求項１記載のプリンタ装置。
【請求項６】
前記日付情報は、日付を示す情報及び同一の日付に作成された複数の画像データをそれぞれ区別可能な付加的情報を含み、前記表示手段は、前記記憶媒体に同一の日付情報を有する画像データの数が一度に表示可能な数を超える場合、当該表示可能な数分の日付情報のみを日付順に順次表示することを特徴とする請求項１記載のプリンタ装置。
【請求項７】
画像データに基づいて記録紙に画像を印刷する印刷手段と、前記印刷手段における印刷条件についての選択肢を表示する表示手段と、前記選択肢の１つを印刷設定として確定する入力手段と、該入力手段において確定された印刷設定に基づいて前記印刷手段を制御する印刷制御手段と、画像データを記憶可能な記憶媒体を装着する装着部と、を有するプリンタ装置の制御方法であって、
前記プリンタ装置に対する電源投入、記憶媒体の前記装着部に対する装着、または印刷モードの切替を検知する検知工程と、
前記検知工程における検知に従って、前記装着部に装着された記憶媒体に記憶される画像データを取得し、前記記憶媒体に記憶される画像データの中で、最新の日付情報を持つ画像データの日付情報を前記表示手段に表示する表示工程と
からなることを特徴とする制御方法。
【請求項８】
前記表示工程は、前記記憶媒体に記憶される画像データの中で、前記表示手段が表示する日付情報に該当する画像データの数を表示することを特徴とする請求項７記載のプリンタ装置の制御方法。
【請求項９】
前記印刷制御部において、前記記憶媒体に記憶される画像データの中で、前記表示手段が表示する日付情報に該当する画像データを順次１枚ずつ印刷するように前記印刷部を制御する工程をさらに備えることを特徴とする請求項７記載のプリンタ装置の制御方法。
【請求項１０】
前記印刷制御部において、前記記憶媒体に記憶される画像データの中で、前記表示手段が表示する日付情報に該当する画像データのインデックス印刷を行うように前記印刷部を制御する工程をさらに備えることを特徴とする請求項７記載のプリンタ装置の制御方法。
【発明の詳細な説明】
【技術分野】
【０００１】
本発明は、プリンタ装置及びその制御方法に関し、詳しくは日付を指定してディジタル画像を特定し、印刷することが可能なプリンタ装置及びその制御方法に関する。
【背景技術】
【０００２】
近年、ディジタルカメラの普及に伴い、撮影されたディジタル画像の画像データを記憶する記憶媒体の小型化、大容量化が進んでいる。記憶媒体としては、ディジタルカメラやその他のデバイスに対する装着性、携帯性を考慮してその形状、サイズに工夫が施されており、スティック状のものやカード状のもの、チップ状の形状のものなど、複数の規格の記憶媒体が市場に存在している。また、記憶媒体については、ＰＤＡやパーソナルコンピュータなどによる読み取りも可能であり、さらに、近年においては、記憶媒体を装着可能な装着部を備え、記憶媒体に記憶されたファイルや情報などを読み取り可能とした電子機器が多数開発されている。その１つとして、記憶媒体からディジタル画像情報を読み取り、ディジタル画像を印刷することが可能なプリンタ装置が市場に供給されている。このようなプリンタ装置によると、ディジタルカメラで記憶したディジタル画像の画像データ、画像ファイルについて、プリンタ装置単体で印刷条件を設定し、所望のディジタル画像を印刷することができる。
【０００３】
また、メモリカードを装着する装着部と、さらに、ＰＣを介さずにディジタルカメラと直接接続可能なインターフェースを備え、プリンタに装着されたメモリカード内の画像ファイルのプリントと、ディジタルカメラ内に装着されているメモリカード内の画像ファイルのプリントとを、ＰＣを使わずに可能とした構成が知られている。（例えば、特許文献１）
【０００４】
【特許文献１】特開２００３−１０３８８３号公報
【発明の開示】
【発明が解決しようとする課題】
【０００５】
上記プリンタ装置では、ディジタル画像を印刷する場合、操作者が記憶媒体に記憶されている画像データの中で所望のものを特定するための操作を行わなければならない。そして、この特定のため、操作者は適当な日付やディジタル画像名を入力して所望のディジタル画像に付加するといった初期操作が必要であり、面倒であるという問題があった。
【０００６】
また、近年、記憶媒体の容量が増大する傾向にあり、内部にハードディスクを備えたカード状の大容量の記憶媒体は、数百枚、画像データのサイズによっては千枚にも達する数の画像を記憶することが可能である。このため、上記プリンタ装置に大容量の記憶媒体が装着された場合、所望のディジタル画像を特定するための操作がさらに面倒なものであるという問題があった。
【０００７】
本発明はこのような事情を鑑みてなされたものであり、その目的とするところは、最新のディジタル画像だけを印刷する場合、印刷対象とするディジタル画像の日付を確認したい場合、あるいは日付ごとにディジタル画像をまとめて印刷したい場合に便利なプリンタ装置及びその制御方法を提供することにある。
【課題を解決するための手段】
【０００８】
このような目的を達成するために、請求項１に記載の発明は、画像データに基づいて記録紙に画像を印刷する印刷手段と、前記印刷手段における印刷条件についての選択肢を表示する表示手段と、前記選択肢の１つを印刷設定として確定する入力手段と、該入力手段において確定された印刷設定に基づいて前記印刷手段を制御する印刷制御手段とを有するプリンタ装置において、画像データを記憶可能な記憶媒体を装着可能な装着部と、前記装着部に装着された記憶媒体に記憶される画像データを取得する取得手段と、を備え、前記表示手段は、前記プリンタ装置に対する電源投入、前記記憶媒体の装着部に対する装着、または印刷モードの切替を検知した場合、前記記憶媒体に記憶される画像データの中で、最新の日付情報を持つ画像データの日付情報を表示することを特徴とする。
【０００９】
また、請求項２に記載の発明は、請求項１記載のプリンタ装置において、前記表示手段は、前記記憶媒体に記憶される画像データの中で、前記表示手段が表示する日付情報に該当する画像データの数を表示することを特徴とする。
【００１０】
また、請求項３に記載の発明は、請求項１記載のプリンタ装置において、前記印刷制御手段は、前記記憶媒体に記憶される画像データの中で、前記表示手段が表示する日付情報に該当する画像データを順次１枚ずつ印刷するように前記印刷手段を制御することを特徴とする。
【００１１】
また、請求項４に記載の発明は、請求項１記載のプリンタ装置において、前記印刷制御手段は、前記記憶媒体に記憶される画像データの中で、前記表示手段が表示する日付情報に該当する画像データのインデックス印刷を行うように前記印刷手段を制御することを特徴とする。
【００１２】
また、請求項５に記載の発明は、請求項１記載のプリンタ装置において、前記日付情報は、日付を示す情報及び同一の日付に作成された複数の画像データをそれぞれ区別可能な付加的情報を含み、前記表示手段は、前記日付情報を日付順に順次表示することを特徴とする。
【００１３】
また、請求項６に記載の発明は、請求項１記載のプリンタ装置において、前記日付情報は、日付を示す情報及び同一の日付に作成された複数の画像データをそれぞれ区別可能な付加的情報を含み、前記表示手段は、前記記憶媒体に同一の日付情報を有する画像データの数が一度に表示可能な数を超える場合、当該表示可能な数分の日付情報のみを日付順に順次表示することを特徴とする。
【００１４】
また、請求項７に記載の発明は、画像データに基づいて記録紙に画像を印刷する印刷手段と、前記印刷手段における印刷条件についての選択肢を表示する表示手段と、前記選択肢の１つを印刷設定として確定する入力手段と、該入力手段において確定された印刷設定に基づいて前記印刷手段を制御する印刷制御手段と、画像データを記憶可能な記憶媒体を装着する装着部と、を有するプリンタ装置の制御方法であって、前記プリンタ装置に対する電源投入、記憶媒体の前記装着部に対する装着、または印刷モードの切替を検知する検知工程と、前記検知工程における検知に従って、前記装着部に装着された記憶媒体に記憶される画像データを取得し、前記記憶媒体に記憶される画像データの中で、最新の日付情報を持つ画像データの日付情報を前記表示手段に表示する表示工程とからなることを特徴とする。
【００１５】
また、請求項８に記載の発明は、請求項７記載のプリンタ装置の制御方法において、前記表示工程は、前記記憶媒体に記憶される画像データの中で、前記表示手段が表示する日付情報に該当する画像データの数を表示することを特徴とする。
【００１６】
また、請求項９に記載の発明は、請求項７記載のプリンタ装置の制御方法において、前記印刷制御部において、前記記憶媒体に記憶される画像データの中で、前記表示手段が表示する日付情報に該当する画像データを順次１枚ずつ印刷するように前記印刷部を制御する工程をさらに備えることを特徴とする。
【００１７】
また、請求項１０に記載の発明は、請求項７記載のプリンタ装置の制御方法において、前記印刷制御部において、前記記憶媒体に記憶される画像データの中で、前記表示手段が表示する日付情報に該当する画像データのインデックス印刷を行うように前記印刷部を制御する工程をさらに備えることを特徴とする。
【発明の効果】
【００１８】
本発明によれば、記憶媒体に記憶されている画像データを視認可能とするよう印刷できるプリンタ装置おいて、電源投入、印刷モード切替、記憶媒体の装着を検知した場合に、該記憶媒体に記憶されるディジタル画像情報の中で、最新のディジタル画像の日付情報を表示することによって、簡単に画像データを新しい順に選択可能とし、印刷もすることができるという効果が得られる。
【００１９】
また、次の日付情報表示を要求する入力があった時、記憶媒体に記憶されるディジタル画像（画像データ）について、表示中の日付情報の次の日付情報を表示することによって、簡単に所望の日付情報のディジタル画像を選択し、印刷することができるという効果が得られる。
【００２０】
また、次の日付情報をスキップして表示することを要求する入力があった時、記憶媒体に記憶されるディジタル画像について、表示中の日付情報を基点として、同一日付情報をスキップし、次の日以降または前の日以前の日付情報を表示することによって、簡単に素早く所望の日付情報のディジタル画像を選択し、印刷することができるという効果が得られる。
【００２１】
また、記憶媒体に記憶されるディジタル画像の中で、表示中の日付情報に該当するディジタル画像を一画像ずつ印刷することによって、指定した日付情報に該当するディジタル画像を簡単に一括印刷することができる。
【００２２】
また、記憶媒体に記憶されるディジタル画像の中で、表示中の日付情報に該当するディジタル画像をインデックス印刷することによって、指定した日付情報に該当するディジタル画像を、簡単にインデックス印刷することができる、また、同一日付のディジタル画像を一覧で確認することできる、という効果が得られる。
【００２３】
また、記憶媒体に記憶されるディジタル画像の中で、表示中の日付情報に該当するディジタル画像数をカウントし、枚数を表示することによって、指定した日付情報に該当するディジタル画像の枚数を簡単に確認することができるという効果が得られる。
【発明を実施するための最良の形態】
【００２４】
以下に本発明の実施の形態を、複数の実施形態に基づいて詳細に説明する。
（実施形態１）
本発明の第１の実施形態に係るプリンタ装置は、該プリンタ装置への電源投入、記憶媒体装着、または印刷モード切替を検知した場合、記憶媒体に記憶される画像データ（以下、ディジタル画像情報ともいう）を読み取り、記憶媒体に記憶されるディジタル画像の中で、印刷対象となるディジタル画像を日付順にソートし、該ソート結果として得られる最新のディジタル画像の日付情報を最新日付表示部により表示する。
【００２５】
なお、以下の実施形態において、日付情報とは、ディジタル画像が作成または更新された日付を示す情報、及び同一の日付に作成された複数のディジタル情報をそれぞれ区別可能な付加的情報を含む。付加的情報としては、ディジタル画像が作成または更新された時間やファイル名等を使用することができる。
【００２６】
また、以下の実施形態では、ディジタル情報は日付順にソートされていれば足り、同一の日付に作成されたディジタル画像が複数ある場合は、これらを時間順にソートしても良く、あるいはファイル名順にソートしても良い。
【００２７】
また、記憶媒体に記憶されている画像データの格納形式については、所定の圧縮された画像ファイル、ビットマップ形式のファイル、等の様々な形態を採用可能であり、本発明は、日付情報を含めて記憶可能な画像データの形式であれば適用することができる。
【００２８】
図１は、本実施形態における概略構成図である。プリンタ装置１はディジタル画像情報取得部１０１より記憶媒体１０２に記憶されるディジタル画像情報を取得し、表示部１０３にディジタル画像情報を表示し、入力部１０４において確定された印刷条件に基づき、紙搬送部１０５より搬送される記録紙に、印刷部１０６にて視認可能に印刷し、排紙部１０７より排紙する。
【００２９】
図２は、本実施形態におけるプリンタ装置の構成を示す図である。ＣＰＵ２０１は、本プリンタ装置制御ユニットの全制御を行うための演算・制御を行う。ＲＡＭ２０２は、ＣＰＵ２０１が各プログラムを実行する際にワークエリアや、ラスタ記憶部として機能する。電源ユニット２０３は、本プリンタ装置１に電源を供給するものである。表示部２０４は、液晶（ＬＣＤ）から構成される。画像出力部２０５は、不図示のプリンタエンジン部に対して画像データを出力する。プログラムＲＯＭ２０６は、プログラムとしてディジタル画像情報取得部２０７、日付ソート部２０８、最新日付表示部２０９、順次日付表示部２１０、スキップ日付表示部２１１、日付検索部２１２、日付指定印刷部２１３、日付指定インデックス印刷部２１４、日付指定枚数表示部２１５が記憶されている。入力部２１６は、操作者からの入力を受け付ける。印刷モード切替部２１７は、日付指定印刷、番号指定印刷などの印刷対象を決定するモードを切替る。印刷部２１９は、ディジタル画像情報を記録紙に視認可能に印刷する。印刷制御部２１８は印刷部２１９を制御する。
【００３０】
次に、図２の構成を備えた本実施形態におけるプリンタ装置の最新日付情報表示時の動作について、図３に示すフローチャートに基づいて説明する。
【００３１】
まず、ステップＳ３０１では、プリンタ装置において、電源投入、印刷モード切替、または記憶媒体装着の何れかを検知したか否かを判断する。電源投入、印刷モード切替、または、記憶媒体装着の何れかを検知していればステップＳ３０２に、検知していなければステップＳ３０１に遷移する。
【００３２】
ステップＳ３０２では、日付指定によって印刷対象となるディジタル画像を決定する日付印刷モードであるか否かを判断する。日付印刷モードであればステップＳ３０３へ、そうでなければステップＳ３０７へ遷移する。
【００３３】
ステップＳ３０３では、ディジタル情報取得部２０７により、プリンタ装置１に装着される記憶媒体に記憶されるディジタル情報を取得する。
【００３４】
ステップＳ３０４では、ステップＳ３０３において取得されたディジタル情報に基づき、記憶媒体に記憶されるディジタル画像の情報を、日付ソート部２０８によって日付順にソートする。日付順にソートした結果得られた日付ソート済みディジタル画像情報をＲＡＭ２０２に記憶する。
【００３５】
ステップＳ３０５では、日付検索部２１２が、ステップＳ３０４においてＲＡＭ２０２に記憶された日付ソート済みディジタル画像情報より、最新の日付情報を取得する。取得された最新日付情報は、ＲＡＭ２０２に記憶される。
【００３６】
ステップＳ３０６では、ステップＳ３０５において得られた最新日付情報を表示部２０４に表示する。
【００３７】
ステップＳ３０７は、本アルゴリズムの終点に遷移する。
【００３８】
以上のように、本実施形態では、電源投入、印刷モード切替、及び記憶媒体装着の何れかを検知したとき、記憶媒体に記憶されるディジタル画像の中で、最も新しい日付情報を持つディジタル画像の日付情報を液晶に表示する。
【００３９】
これにより、ユーザは煩雑な操作や設定をすることなく、最新の日付情報を持つディジタル画像を選択することが可能となる。
【００４０】
（実施形態２）
次に、本発明の第２の実施形態におけるプリンタ装置による順次日付表示の動作について、図４に示すフローチャートに基づいて説明する。本実施形態におけるプリンタ装置もまた、上記実施形態と同様に図２の構成を備える。
【００４１】
まず、ステップＳ４０１では、プリンタ装置１において、日付指定によって印刷対象となるディジタル画像を決定する日付指定印刷モードであるか否かを判断する。日付指定印刷モードであればステップＳ４０２へ、そうでなければステップＳ４０８へ遷移する。
【００４２】
ステップＳ４０２では、入力部１０４においてディジタル画像の日付情報表示を指示する入力を受け付けたか否かを判断する。次のディジタル画像の日付情報表示を指示する入力を受け付けた場合はステップＳ４０３へ、そうでなければステップＳ４０２へ遷移する。
【００４３】
ステップＳ４０３では、表示部２０４によって日付情報を表示しているか否かを判断する。日付情報を表示していなければステップＳ４０４へ、そうでなければステップＳ４０５へ遷移する。
【００４４】
ステップＳ４０４では、最新日付情報表示部２０９によって、記憶媒体に記憶されるディジタル画像情報の中で最新の日付情報を持つディジタル画像の日付情報を表示部２０４に表示し（ステップＳ４０３、Ｓ４０４）、次の日付情報表示の要求を待つ（ステップＳ４０１、Ｓ４０２）。
【００４５】
ステップＳ４０５では、表示部２０４に表示中の日付情報を取得する。
【００４６】
ステップＳ４０６では、日付検索部２１２が、ＲＡＭ２０２に記憶される日付順にソート済みディジタル画像情報に基づき、ステップＳ４０５において取得した表示日付情報に該当するディジタル画像の、次のディジタル画像の日付情報を取得する。取得するディジタル画像の日付情報は、ステップＳ４０２において指定された日付順に応じ、降順でも良いし、昇順でも良い。
【００４７】
ステップＳ４０７では、順次日付表示部２１０が、ステップＳ４０６において取得した次の日付情報を表示部２０４に表示し、ステップＳ４０１に遷移し、再び次の日付情報表示の要求を待つ（ステップＳ４０２）。そして、この一連の処理の途中で待機状態への遷移または印刷の実行等が指示された場合は、印刷モード切替部２１７によりモードの切り替えが行われ、図４に示す処理を終了する。
【００４８】
以上のように、次の日付情報を表示する要求を受けたとき、記憶媒体に記憶されるディジタル画像を日付順にソートし、該記憶媒体に記憶されるディジタル画像の中で、液晶に表示中の日付情報を基点とした次の日付情報を持つディジタル画像情報を取得し、該ディジタル画像情報の日付情報を液晶に表示する。
【００４９】
これにより、ユーザは煩雑な操作や設定をすることなく、記憶媒体に記憶されるディジタル画像の日付情報に関して、表示中の日付情報の次の日付情報を順に表示することができ、簡単に所望の日付情報を持つディジタル画像情報を選択することが可能となる。
【００５０】
（実施形態３）
次に、本発明の第３の実施形態におけるプリンタ装置によるスキップ日付表示の動作について、図５に示すフローチャートに基づいて説明する。本実施形態におけるプリンタ装置もまた、上記実施形態と同様に図２の構成を備える。
【００５１】
まず、ステップＳ５０１では、プリンタ装置１において、日付指定によって印刷対象となるディジタル画像を決定する日付指定印刷モードであるか否かを判断する。日付指定印刷モードであればステップＳ５０２へ、そうでなければステップＳ５０９へ遷移する。
【００５２】
ステップＳ５０２では、入力部１０４においてディジタル画像の日付情報表示を指示する入力されたか否かを判断する。次のディジタル画像の日付情報表示を指示する入力があれば、ステップＳ５０３へ、そうでなければステップＳ５０２へ遷移する。
【００５３】
ステップＳ５０３では、表示部２０４によって日付情報を表示しているか否かを判断する。日付情報を表示していなければステップＳ５０４へ、そうでなければステップＳ５０５へ遷移する。
【００５４】
ステップＳ５０４では、最新日付情報表示部２０９によって記憶媒体に記憶されるディジタル画像情報の中で、最新の日付情報を持つディジタル画像の日付情報を表示部２０４に表示し、次の日付情報表示の要求を待つ（ステップＳ５０１、Ｓ５０２）。
【００５５】
ステップＳ５０５では、日付検索部２１２が、表示部２０４に表示中の日付情報を取得する。
【００５６】
ステップＳ５０６では、日付検索部２１２が、ＲＡＭ２０２に記憶される日付順にソート済みディジタル画像情報に基づき、ステップＳ５０５において取得した表示日付情報に該当するディジタル画像の、次のディジタル画像の日付情報を取得する。取得するディジタル画像の日付情報は、ステップＳ５０２において指定された順に応じ、降順でも良いし、昇順でも良い。
【００５７】
ステップＳ５０７において、ステップＳ５０６で取得した日付情報が表示中の日付情報と同一日付であるか否かを判断する。表示中の日付情報と同一日付であればステップＳ５０６へ、そうでなければステップＳ５０８に遷移する。
【００５８】
ステップＳ５０８では、スキップ日付表示部２１１が、ステップＳ５０６で取得した日付情報を表示部２０４に表示し、再び次の日付情報表示の要求を待つ（ステップＳ５０１、Ｓ５０２）。そして、この一連の処理の途中で待機状態への遷移または印刷の実行等が指示された場合は、印刷モード切替部２１７によりモードの切り替えが行われ、図５に示す処理を終了する。
【００５９】
ステップＳ５０９では、本アルゴリズムの終点である。
【００６０】
以上のように、次の日付情報を表示する要求を受けたとき、記憶媒体に記憶されるディジタル画像を日付順にソートし、該記憶媒体に記憶されるディジタル画像の中で、液晶に表示中の日付情報を基点として、次の日以降または前の日以前の日付情報を持つディジタル画像情報を取得し、該ディジタル画像情報の日付情報を液晶に表示する。この際、記憶媒体に同一の日付情報を有するディジタル画像の数が一度に表示可能な数を超える場合、当該表示可能な数分の日付情報のみを日付順に順次表示する。つまり、一度表示した日付情報はスキップして次の日以降、または次の日以前の日付情報を表示する。
【００６１】
これにより、ユーザは煩雑な操作や設定をすることなく、記憶媒体に記憶されるディジタル画像情報の中で、表示中の日付情報の次の日以降または次の日以前の日付情報を持つディジタル画像情報の日付情報を表示することができ、所望の日付情報を簡単に素早く選択することが可能となる。
【００６２】
（実施形態４）
次に、本発明の第４の実施形態におけるプリンタ装置による日付指定印刷の動作について、図６に示すフローチャートに基づいて説明する。本実施形態におけるプリンタ装置もまた、上記実施形態と同様に図２の構成を備える。
【００６３】
まず、ステップＳ６０１では、プリンタ装置１において、日付指定によって印刷対象となるディジタル画像を決定する日付指定印刷モードであるか否かを判断する。日付指定印刷モードであればステップＳ６０２へ、そうでなければステップＳ６１１へ遷移する。
【００６４】
ステップＳ６０２では、最新日付情報表示部２０９、順次日付表示部２１０、及び、スキップ日付表示部２１１の何れかによって、表示部２０２に日付が表示されているか否かを判断する。日付が表示されていなければステップＳ６０３へ、そうでなければステップＳ６０４へ遷移する。
【００６５】
ステップＳ６０３では、最新日付情報表示部２０９によって記憶媒体に記憶されるディジタル画像情報の中で、最新の日付情報を持つディジタル画像の日付情報を表示部２０４に表示する。
【００６６】
ステップＳ６０４では、入力部１０４において、印刷を指示する入力を受け付けたか否かを判断する。印刷指示入力を受け付けていれば、ステップＳ６０５へ、受け付けていなければ、ステップＳ６０４へ遷移する。
【００６７】
ステップＳ６０５では、日付検索部２１２によって、ソート済みディジタル画像情報より、表示日付情報に該当するディジタル画像情報を１画像分取得する。一度取得したディジタル画像情報には印刷済みフラグを付し、再度取得できないものとする。
【００６８】
ステップＳ６０６では、ステップＳ６０５で取得したディジタル画像情報があるか否かを判断する。ディジタル画像情報があればステップＳ６０７へ、そうでなければステップＳ６１１へ遷移する。
【００６９】
ステップＳ６０７では、ステップＳ６０５で取得した表示日付情報に該当するディジタル画像の印刷データを、画像出力部２０５よってＲＡＭ２０２に記憶する。
【００７０】
ステップＳ６０８では、印刷制御部２１８を介して印刷部２１９を駆動し、予備吐出、目詰まり解消、ノズルの回復などを行う。
【００７１】
ステップＳ６０９では、印刷制御部２１８を介して印刷部２１９を駆動し、ステップＳ６０７において記憶された印刷データを印刷する。
【００７２】
ステップＳ６１０では、印刷済み記録紙が記録紙排出口より排出され、ステップＳ６０５に遷移する。
【００７３】
ステップＳ６１１は、本アルゴリズムの終点である。
【００７４】
以上のように、本実施形態では、日付印刷モードで印刷の指示があったとき、記憶媒体に記憶されるディジタル画像の中で、表示中の日付情報に該当するディジタル画像を取得し、該ディジタル画像を一画像ずつ印刷する。
【００７５】
これにより、ユーザは煩雑な操作や設定をすることなく、記憶媒体に記憶されるディジタル画像情報の中で、表示中の日付情報を持つディジタル画像を簡単に一画像ずつ印刷することが可能となる。
【００７６】
（実施形態５）
次に、本発明の第５の実施形態におけるプリンタ装置による日付指定インデックス印刷の動作について、図７に示すフローチャートに基づいて説明する。本実施形態におけるプリンタ装置もまた、上記実施形態と同様に図２の構成を備える。
【００７７】
ます、ステップＳ７０１において、プリンタ装置において、日付指定によって印刷対象となるディジタル画像を決定する日付指定印刷モードであるか否かを判断する。日付指定印刷モードであればステップＳ７０２へ、そうでなければステップＳ７１１へ遷移する。
【００７８】
ステップＳ７０２では、最新日付情報表示部２０９、順次日付表示部２１０、及び、スキップ日付表示部２１１の何れかによって、表示部２０２に日付が表示されているか否かを判断する。日付が表示されていなければステップＳ７０３へ、そうでなければステップＳ７０４へ遷移する。
【００７９】
ステップＳ７０３では、最新日付情報表示部２０９によって記憶媒体に記憶されるディジタル画像情報の中で、最新の日付情報を持つディジタル画像の日付情報を表示部２０４に表示する。
【００８０】
ステップＳ７０４では、入力部１０４において印刷を指示する入力を受け付けたか否かを判断する。印刷指示入力を受け付けていればステップＳ７０５へ、受け付けていなければステップＳ７０５へ遷移する。
【００８１】
ステップＳ７０５では、日付検索部２１２によって、ソート済みディジタル画像情報に基づき、表示中の日付情報に該当するディジタル画像情報をインデックス印刷で印刷コマ数分取得する。一度取得したディジタル画像情報には印刷済みフラグを付し、再取得しないものとする。
【００８２】
ステップＳ７０６では、ステップＳ７０５において取得されたディジタル画像情報があるか否かを判断する。ディジタル画像情報があればステップＳ７０７へ、そうでなければステップＳ７１１へ遷移する。
【００８３】
ステップＳ７０７では、日付指定インデックス部２１４が、ステップＳ７０５で取得した表示日付情報に該当するインデックス印刷コマ数分のディジタル画像情報を圧縮、レイアウトしてインデックス印刷用の印刷データを作成し、描画出力部２０５によってＲＡＭ２０２に記憶する。
【００８４】
ステップＳ７０８では、印刷制御部２１８を介して印刷部２１９を駆動し、予備吐出、目詰まり解消、ノズルの回復などを行う。
【００８５】
ステップＳ７０９では、印刷制御部２１８を介して印刷部２１９を駆動し、ステップＳ７０７において記憶された印刷データをインデックス印刷する。
【００８６】
ステップＳ７１０では、印刷済み記録紙を記録紙排出口より排出され、ステップＳ７０５に遷移する。
【００８７】
ステップＳ７１１は、本アルゴリズムの終点である。
【００８８】
以上のように、本実施形態では、日付指定印刷モードで印刷要求を受けたとき、表示中の日付情報に該当するディジタル画像情報を取得し、このディジタル画像情報に基づきインデックス印刷を行う。
【００８９】
これにより、ユーザは指定した日付情報に該当するディジタル画像を簡単にインデックス印刷することができる。また、同一日付のディジタル画像を一覧形式で確認することができる。
【００９０】
（実施形態６）
次に、本発明の第６の実施形態におけるプリンタ装置による日付指定枚数表示の動作について、図８に示すフローチャートに基づいて説明する。本実施形態におけるプリンタ装置もまた、上記実施形態と同様に図２の構成を備える。
【００９１】
ます、ステップＳ８０１において、第６のプリンタ装置において、日付指定によって印刷対象となるディジタル画像を決定する日付指定印刷モードであるか否かを判断する。日付指定印刷モードであればステップＳ８０２へ、そうでなければステップＳ８０７へ遷移する。
【００９２】
ステップＳ８０２では、最新日付情報表示部２０９、順次日付表示部２１０、及び、スキップ日付表示部２１１の何れかによって、表示部２０２に日付が表示されているか否かを判断する。日付が表示されていなければステップＳ８０３へ、そうでなければステップＳ８０４へ遷移する。
【００９３】
ステップＳ８０３では、最新日付情報表示部２０９によって記憶媒体に記憶されるディジタル画像情報の中で、最新の日付情報を持つディジタル画像の日付情報を表示部２０４に表示する。
【００９４】
ステップＳ８０４では、日付検索部２１２によって、ソート済みディジタル画像情報に基づき、表示中の日付情報に該当するディジタル画像情報を全て取得する。
【００９５】
ステップＳ８０５では、ステップＳ８０４において、表示中の日付情報に該当するディジタル画像情報の数をカウントする。
【００９６】
ステップＳ８０６では、ステップＳ８０５でカウントしたディジタル画像情報の数を表示部２０４に表示する。
【００９７】
ステップＳ８０７は、本アルゴリズムの終点である。
【００９８】
以上のように、記憶媒体に記憶されるディジタル画像の中で、液晶に表示中の日付情報に該当するディジタル画像ファイルの枚数を液晶に表示する。
【００９９】
これにより、ユーザは、液晶に表示中の日付情報を持つディジタル画像が記憶媒体に何枚記録されているかを簡単に確認することができる。
【０１００】
（他の実施形態）
以上説明した、第１実施形態から第６実施形態におけるプリンタ装置は、インクジェットプリンタに限らず、記録紙に記録する手段を具備した装置であれば、レーザープリンタ、熱転写式プリンタであっても良い。
【０１０１】
また、第１実施形態における最新日付表示の要因は、電源投入、印刷モード切替、記憶媒体装着に限らず、一般に表示を行う要因となるものであれば、ユーザによる表示要求であっても良い。
【０１０２】
また、第４実施形態から第６実施形態における日付表示部は、最新日付表示部、順次日付表示部、スキップ日付表示部に限らず、ランダム表示部であっても良い。
【０１０３】
また、本発明は表示部に少なくとも１つの日付情報を表示させることができるプリンタ装置に適用することが可能である。
【図面の簡単な説明】
【０１０４】
【図１】本発明の実施の形態におけるプリンタ装置の概略構成図である。
【図２】本発明の実施の形態におけるプリンタ装置の詳細な機能構成を示すブロック図である。
【図３】本発明を適応した第１実施形態を実施する際のプリンタ装置における最新日付情報表示時の動作を示す詳細なアルゴリズムを示すフローチャートである。
【図４】本発明を適応した第２実施形態を実施する際のプリンタ装置における順次日付表示時の動作を示す詳細なアルゴリズムを示すフローチャートである。
【図５】本発明を適応した第３実施形態を実施する際のプリンタ装置におけるスキップ日付表示時の動作を示す詳細なアルゴリズムを示すフローチャートである。
【図６】本発明を適応した第４実施形態を実施する際のプリンタ装置における日付指定印刷時の詳細なアルゴリズムを示すフローチャートである。
【図７】本発明を適応した第５実施形態を実施する際のプリンタ装置における日付指定インデックス印刷時の詳細なアルゴリズムを示すフローチャートである。
【図８】本発明を適応した第６実施形態を実施する際のプリンタ装置における日付指定枚数表示時の詳細なアルゴリズムを示すフローチャートである。
【符号の説明】
【０１０５】
１０１  ディジタル画像情報取得部
１０２  記憶媒体
１０３  表示部
１０４  入力部
１０５  紙搬送部
１０６  印刷部
１０７  排紙
２０１  ＣＰＵ
２０２  ＲＡＭ
２０３  電源ユニット
２０４  表示部
２０５  画像出力部
２０６  プログラムＲＯＭ
２０７  ディジタル画像情報取得部
２０８  日付ソート部
２０９  最新日付表示部
２１０  順次日付表示部
２１１  スキップ日付表示部
２１２  日付検索部
２１３  日付指定印刷部
２１４  日付指定インデックス印刷部
２１５  日付指定枚数表示部
２１６  入力部
２１７  印刷モード切替部
２１８  印刷部
２１９  印刷制御部
【図１】
2005169953.tif 000003
【図２】
2005169953.tif 000004
【図３】
2005169953.tif 000005
【図４】
2005169953.tif 000006
【図５】
2005169953.tif 000007
【図６】
2005169953.tif 000008
【図７】
2005169953.tif 000009
【図８】
2005169953.tif 000010